【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
第１の層と結合層と任意に１層の追加の層とを含む多層フィルム構造体であって、
前記第１の層が生物系ポリマー組成物から製造され、
前記第１の層と前記追加の層との間の前記結合層が、１種以上のオレフィンホモポリマーおよび／またはコポリマーと１種以上の無機充填剤とを含み、
ともに前記結合層の全重量を基準にして、前記１種以上のオレフィンホモポリマーおよび／またはコポリマーが５０〜９５重量％の量で存在し、前記充填剤が５〜５０重量％の量で存在し、前記充填剤が、タルク、炭酸カルシウム、焼成クレー、マイカ、ホウ酸亜鉛またはそれらの２つ以上の組み合わせであり、
前記生物系ポリマーがポリ（ヒドロキシアルカン酸）（ＰＨＡ）または多糖であり、
前記オレフィンホモポリマーおよび／またはコポリマーが、エチレンホモポリマー、ポリプロピレンホモポリマー、プロピレンコポリマー、エチレンα−オレフィンコポリマー、エチレン酢酸ビニルコポリマー、エチレンメチル（メタ）アクリレートコポリマー、エチレンエチル（メタ）アクリレートコポリマー、エチレンブチル（メタ）アクリレートコポリマーおよびそれらの混合物であり、
前記オレフィンホモポリマーおよび／またはコポリマーが、１種以上の酸官能基、酸無水物官能基またはグリシジル（メタ）アクリレート官能基により任意に変性され、
前記ＰＨＡが、グリコール酸、乳酸、ヒドロキシ酪酸またはそれらの２つ以上の組み合わせを含む多層フィルム構造体。
【請求項２】
前記ＰＨＡポリマーが乳酸を含み、前記オレフィンホモポリマーおよび／またはコポリマーが、１種以上の酸官能基、酸無水物官能基またはグリシジル（メタ）アクリレート官能基により任意に変性され、
前記充填剤がタルクであり、任意に２０μｍ以下の平均径を有し、
前記結合層が、前記結合層の重量を基準にして０．１〜２０重量％の量で、クマロン−インデン樹脂、テルペン樹脂、ブタジエン−スチレン樹脂、ポリブタジエン樹脂、炭化水素樹脂、ロジンまたはそれらの２つ以上の組み合わせを含む１種以上の粘着性付与剤を更に含み、
前記結合層の厚さが任意に１〜１００μｍの間である請求項１に記載のフィルム。
【請求項３】
前記フィルムが、ヒートシール性層、箔、板紙、不織材料またはそれらの２つ以上の組み合わせである追加の層を含み、前記ヒートシール性層が、ポリ（ヒドロキシアルカン酸）、グリコシド、ポリエチレン、ポリプロピレン、ポリエステル、ポリアミド、エチレン酢酸ビニルコポリマー、エチレンアルキル（メタ）アクリレートコポリマー、エチレン酸コポリマー、イオノマーまたはそれらの２つ以上の組み合わせを含み、
前記フィルムが、任意に機能層と前記追加の層との間に第２の結合層を更に含む請求項２に記載のフィルム。
【請求項４】
前記結合層と前記追加の層との間に配置された少なくとも１層の機能層を更に含み、前記機能層が、澱粉、エチレンビニルアルコールポリマー、ポリアミドまたはそれらの２つ以上の組み合わせから製造される請求項３に記載のフィルム。
【請求項５】
請求項１〜４のいずれか１項において特徴付けられているとおりである多層フィルムを含むか、または前記多層フィルムから製造された物品であって、射出成形品、ブロー成形品、プレス成形品、熱成形硬質物品、ブリスター、熱成形ブリスターまたはそれらの２つ以上の組み合わせであり、そして蓋、キャップ、カップ、トレーまたはバッグである物品。
【手続補正２】
【補正対象書類名】明細書
【補正対象項目名】０１１３
【補正方法】変更
【補正の内容】
【０１１３】
こうした改善された接着力は、使用および時間に関する構造体の強度および耐久性の観点において高度に機能する多層フィルム構造体の特徴である。環境に優しい食品包装のための本発明の多層フィルム構造体は、結合層中にタルクを含まない多層フィルムと比較した場合、使用および時間に関する劣化または離層に対してより抵抗性である。
次に、本発明の好ましい態様を示す。
１  第１の層と結合層と任意に１層の追加の層とを含む多層フィルム構造体であって、
前記第１の層が生物系ポリマー組成物から製造され、
前記第１の層と前記追加の層との間の前記結合層が、１種以上のオレフィンホモポリマーおよび／またはコポリマーと１種以上の無機充填剤とを含み、
ともに前記結合層の全重量を基準にして、前記１種以上のオレフィンホモポリマーおよび／またはコポリマーが５０〜９５重量％の量で存在し、前記充填剤が５〜５０重量％の量で存在し、
前記充填剤が、タルク、炭酸カルシウム、焼成クレー、マイカ、ホウ酸亜鉛またはそれらの２つ以上の組み合わせである多層フィルム構造体。
２  前記第１の層に含まれる前記生物系ポリマーがポリ（ヒドロキシアルカン酸）（ＰＨＡ）または生物系ポリエステルであり、前記１種以上のオレフィンホモポリマーおよび／またはコポリマーが、エチレンホモポリマー、ポリプロピレンホモポリマー、プロピレンコポリマー、エチレンα−オレフィン、エチレン酢酸ビニルコポリマー、エチレンメチル（メタ）アクリレートコポリマー、エチレンエチル（メタ）アクリレートコポリマー、エチレンブチル（メタ）アクリレートコポリマーおよびそれらの混合物の中から選択される上記１に記載のフィルム。
３  前記１種以上のオレフィンホモポリマーおよび／またはコポリマーが、１種以上の酸官能基、無水物官能基またはグリシジル（メタ）アクリレート官能基により変性されている上記１または２に記載のフィルム。
４  前記ＰＨＡポリマーが、グリコール酸、乳酸、ヒドロキシ酪酸またはそれらの２つ以上の組み合わせを含む上記２に記載のフィルム。
５  前記ＰＨＡポリマーが乳酸を含む上記２または４に記載のフィルム。
６  前記生物系ポリエステルがポリ（１，３−プロピレンテレフタレート）である上記２に記載のフィルム。
７  前記充填剤がタルクであり、任意に２０μｍ以下の平均径を有する上記１、２、３、４、５または６に記載のフィルム。
８  前記結合層が、前記結合層の重量を基準にして０．１〜２０重量％の量で、クマロン−インデン樹脂、テルペン樹脂、ブタジエン−スチレン樹脂、ポリブタジエン樹脂、炭化水素樹脂、ロジンまたはそれらの２つ以上の組み合わせを含む１種以上の粘着性付与剤を更に含む上記１〜７のいずれか１項に記載のフィルム。
９  前記結合層の厚さが１〜１００μｍの間である上記１〜８のいずれか１項に記載のフィルム。
１０  前記追加の層が、ヒートシール性層、箔、板紙、不織材料またはそれらの２つ以上の組み合わせであり、前記ヒートシール性層が、ポリ（ヒドロキシアルカン酸）、グリコシド、ポリエチレン、ポリプロピレン、ポリエステル、ポリアミド、エチレン酢酸ビニルコポリマー、エチレンアルキル（メタ）アクリレートコポリマー、エチレン酸コポリマー、イオノマーまたはそれらの２つ以上の組み合わせを含む上記１〜９のいずれか１項に記載のフィルム。
１１  前記結合層と前記追加の層との間に配置された少なくとも１層の機能層を更に含み、前記機能層が、澱粉、エチレンビニルアルコールポリマー、ポリアミドまたはそれらの２つ以上の組み合わせから製造される上記１〜１０のいずれか１項に記載のフィルム。
１２  前記機能層と前記追加の層との間に第２の結合層を更に含む上記１１に記載のフィルム。
１３  上記１〜１２のいずれか１項において特徴付けられているとおりである多層フィルムを含むか、または前記多層フィルムから製造された物品であって、射出成形品、ブロー成形品、プレス成形品、熱成形硬質物品、ブリスター、熱成形ブリスターまたはそれらの２つ以上の組み合わせである物品。
１４  蓋、キャップ、カップ、トレーまたはバッグである上記１３に記載の物品。